(57)【特許請求の範囲】
【請求項１】
上側に給気流路（２）の一部を形成するとともに下側に排気流路（３）の一部を形成する単位部材（Ｍ）と、上側に排気流路（３）の一部を形成するとともに下側に給気流路（２）の一部を形成する単位部材（Ｎ）が、上下方向に交互に積層されている全熱交換器であって、
上記単位部材（Ｍ）は、上枠部材（12）と、下枠部材（13）と、該上枠部材（12）と該下枠部材（13）に挾持される仕切膜（１）から成り、上記上枠部材（12）は、同一高さに相互に平行に配設される複数の押下げ桟（14）を有し、上記下枠部材（13）は、隣合う上記押下げ桟（14）の中間に該押下げ桟（14）と平行に配設された押上げ桟（15）を有し、上記押下げ桟（14）の下面（14ａ）は、上記押上げ桟（15）の上面（15ａ）よりも低い位置に配設され、上記仕切膜（１）を、上記押下げ桟（14）の下面（14ａ）と上記押上げ桟（15）の上面（15ａ）に交互に接するようにジグザグ状に配設し、
上記単位部材（Ｎ）は、上枠部材（16）と、下枠部材（17）と、該上枠部材（16）と該下枠部材（17）に挾持される仕切膜（１）から成り、上記下枠部材（17）は、同一高さに相互に平行に配設される複数の押上げ桟（19）を有し、上記上枠部材（16）は、隣合う上記押上げ桟（19）の中間に該押上げ桟（19）と平行に配設された押下げ桟（18）を有し、上記押下げ桟（18）の下面（18ａ）は、上記押上げ桟（19）の上面（19ａ）よりも低い位置に配設され、上記仕切膜（１）を、上記押下げ桟（18）の下面（18ａ）と上記押上げ桟（19）の上面（19ａ）に交互に接するようにジグザグ状に配設し、
上記単位部材（Ｍ）の押下げ桟（14）は、上記単位部材（Ｎ）の押上げ桟（19）の真上又は真下に、該押上げ桟（19）と平行に配設されるとともに、上記単位部材（Ｍ）の押上げ桟（15）は、上記単位部材（Ｎ）の押下げ桟（18）の真上又は真下に、該押下げ桟（18）と平行に配設され、
流路（９）の縦断面形状が、膨張と収縮とを交互に繰返すように、仕切膜（１）が凹凸波形に配設されていることを特徴とする全熱交換器。
【請求項２】
上側に給気流路（２）の一部を形成するとともに下側に排気流路（３）の一部を形成する単位部材（Ｍ）と、上側に排気流路（３）の一部を形成するとともに下側に給気流路（２）の一部を形成する単位部材（Ｎ）が、上下方向に交互に積層されている全熱交換器であって、
上記単位部材（Ｍ）は、上枠部材（12）と、下枠部材（13）と、該上枠部材（12）と該下枠部材（13）に挾持される仕切膜（１）から成り、上記上枠部材（12）が波形端縁部（12ａ）を有するとともに、上記下枠部材（13）が上記上枠部材（12）の波形端縁部（12ａ）と噛合状の波形端縁部（13ａ）を有し、上記上枠部材（12）の波形端縁部（12ａ）と上記下枠部材（13）の波形端縁部（13ａ）にて上記仕切膜（１）をジグザグ状に挾持し、 
上記単位部材（Ｎ）は、上枠部材（16）と、下枠部材（17）と、該上枠部材（16）と該下枠部材（17）に挾持される仕切膜（１）から成り、上記上枠部材（16）が波形端縁部（16ａ）を有するとともに、上記下枠部材（17）が上記上枠部材（16）の波形端縁部（16ａ）と噛合状の波形端縁部（17ａ）を有し、上記上枠部材（16）の波形端縁部（16ａ）と上記下枠部材（17）の波形端縁部（17ａ）にて上記仕切膜（１）をジグザグ状に挾持し、
流路（９）の縦断面形状が、膨張と収縮とを交互に繰返すように、仕切膜（１）が凹凸波形に配設されていることを特徴とする全熱交換器。
【請求項３】
給気流路（２）の一部を形成する単位部材（Ｑ）と、排気流路（３）の一部を形成する単位部材（Ｒ）とが、上下方向に交互に積層されている全熱交換器であって、
上記単位部材（Ｑ）は、枠部材（31）と該枠部材（31）に張設される仕切膜（１）から成り、上記枠部材（31）は、上波形端縁部（32）と、該上波形端縁部（32）に平行な下波形端縁部（33）を有し、上記単位部材（Ｑ）の仕切膜（１）は上記上波形端縁部（32）又は上記下波形端縁部（33）に沿って配設され、
上記単位部材（Ｒ）は、枠部材（34）と該枠部材（34）に張設される仕切膜（１）から成り、上記枠部材（34）は、上記単位部材（Ｑ）の上波形端縁部（32）と同一形状であるとともに上記単位部材（Ｑ）の下波形端縁部（33）と噛合う上波形端縁部（35）と、該上波形端縁部（35）に平行な下波形端縁部（36）を有し、上記単位部材（Ｒ）の仕切膜（１）は上記上波形端縁部（35）又は上記下波形端縁部（36）に沿って配設されていることを特徴とする全熱交換器。
【発明の詳細な説明】
【技術分野】
【０００１】
本発明は、全熱交換器に関する。
【背景技術】
【０００２】
一般に、全熱交換器は、給気流路と排気流路が仕切膜や間隔板等にて隔離されている（例えば、特許文献１参照）。そして、仕切膜を介して、給気流路内の空気と排気流路内の空気の間で熱交換が行なわれる。
【０００３】
しかし、空気の流れは仕切膜等に平行な層流であり、熱交換効率が悪いという欠点があった。
【特許文献１】特開平１０−８９８７８号公報
【発明の開示】
【発明が解決しようとする課題】
【０００４】
解決しようとする課題は、熱交換効率が悪い点である。
【課題を解決するための手段】
【０００５】
そこで、本発明に係る全熱交換器は、上側に給気流路の一部を形成するとともに下側に排気流路の一部を形成する単位部材と、上側に排気流路の一部を形成するとともに下側に給気流路の一部を形成する単位部材が、上下方向に交互に積層されている全熱交換器であって；上記単位部材は、上枠部材と、下枠部材と、該上枠部材と該下枠部材に挾持される仕切膜から成り、上記上枠部材は、同一高さに相互に平行に配設される複数の押下げ桟を有し、上記下枠部材は、隣合う上記押下げ桟の中間に該押下げ桟と平行に配設された押上げ桟を有し、上記押下げ桟の下面は、上記押上げ桟の上面よりも低い位置に配設され、上記仕切膜を、上記押下げ桟の下面と上記押上げ桟の上面に交互に接するようにジグザグ状に配設し；上記単位部材は、上枠部材と、下枠部材と、該上枠部材と該下枠部材に挾持される仕切膜から成り、上記下枠部材は、同一高さに相互に平行に配設される複数の押上げ桟を有し、上記上枠部材は、隣合う上記押上げ桟の中間に該押上げ桟と平行に配設された押下げ桟を有し、上記押下げ桟の下面は、上記押上げ桟の上面よりも低い位置に配設され、上記仕切膜を、上記押下げ桟の下面と上記押上げ桟の上面に交互に接するようにジグザグ状に配設し；上記単位部材の押下げ桟は、上記単位部材の押上げ桟の真上又は真下に、該押上げ桟と平行に配設されるとともに、上記単位部材の押上げ桟は、上記単位部材の押下げ桟の真上又は真下に、該押下げ桟と平行に配設され；流路の縦断面形状が、膨張と収縮とを交互に繰返すように、仕切膜が凹凸波形に配設されているものである。
【０００６】
また、上側に給気流路の一部を形成するとともに下側に排気流路の一部を形成する単位部材と、上側に排気流路の一部を形成するとともに下側に給気流路の一部を形成する単位部材が、上下方向に交互に積層されている全熱交換器であって；上記単位部材は、上枠部材と、下枠部材と、該上枠部材と該下枠部材に挾持される仕切膜から成り、上記上枠部材が波形端縁部を有するとともに、上記下枠部材が上記上枠部材の波形端縁部と噛合状の波形端縁部を有し、上記上枠部材の波形端縁部と上記下枠部材の波形端縁部にて上記仕切膜をジグザグ状に挾持し；上記単位部材は、上枠部材と、下枠部材と、該上枠部材と該下枠部材に挾持される仕切膜から成り、上記上枠部材が波形端縁部を有するとともに、上記下枠部材が上記上枠部材の波形端縁部と噛合状の波形端縁部を有し、上記上枠部材の波形端縁部と上記下枠部材の波形端縁部にて上記仕切膜をジグザグ状に挾持し；流路の縦断面形状が、膨張と収縮とを交互に繰返すように、仕切膜が凹凸波形に配設されているものである。
【０００７】
また、給気流路の一部を形成する単位部材と、排気流路の一部を形成する単位部材とが、上下方向に交互に積層されている全熱交換器であって；上記単位部材は、枠部材と該枠部材に張設される仕切膜から成り、上記枠部材は、上波形端縁部と、該上波形端縁部に平行な下波形端縁部を有し、上記単位部材の仕切膜は上記上波形端縁部又は上記下波形端縁部に沿って配設され；上記単位部材は、枠部材と該枠部材に張設される仕切膜から成り、上記枠部材は、上記単位部材の上波形端縁部と同一形状であるとともに上記単位部材の下波形端縁部と噛合う上波形端縁部と、該上波形端縁部に平行な下波形端縁部を有し、上記単位部材の仕切膜は上記上波形端縁部又は上記下波形端縁部に沿って配設されているものである。
【発明の効果】
【０００８】
本発明の全熱交換器によれば、熱交換効率を向上させることができる。
【発明を実施するための最良の形態】
【０００９】
図１は、本発明と関係が深い実施の形態の使用状態を示す。室内Ｘと屋外Ｙとを分ける壁Ｚには、内部に全熱交換器Ｈを備えたケーシング25が付設されている。Ａは給気空気の流れを示し、Ｂは排気空気の流れを示す。すなわち、給気空気は、給気入口10から全熱交換器Ｈに流入し、給気出口20から室内Ｘへ流出する。また、排気空気は、排気入口11から全熱交換器Ｈに流入し、排気出口21から屋外Ｙへ流出する。
【００１０】
具体的には、ケーシング25内には、給気用ファン22と排気用ファン23とが取り付けられ、室内Ｘ側の吸込口26ａ近傍と、屋外Ｙ側の吸込口26ｂ近傍には、フィルター24が取り付けられている。さらに、給気用ファン22は全熱交換器Ｈの給気入口10へ向かって送風するように配設され、排気用ファン23は排気出口21から空気を吸い込むように配置されている。20は給気出口を示す。11は排気入口を示す。なお、ケーシング25内で、給気空気と排気空気は混在させずに全熱交換器Ｈを通過させるために複数個の間仕切板30が設けられている。
【００１１】
図２は、全熱交換器Ｈを示す。この全熱交換器Ｈは、平面視が、相互に平行な２本の長辺Ｅを有する長六角形Ｊ状に形成されている。全熱交換器Ｈ内には、給気流路２と排気流路３が、伝熱性・透湿性を有する、パルプを主成分とした薄膜又は合成樹脂を主成分とした箔膜から成る仕切膜１を介して、交互に積層状に形成されている。すなわち、上側に給気流路２の一部を形成するとともに下側に排気流路３の一部を形成する単位部材Ｓと、上側に排気流路３の一部を形成するとともに下側に給気流路２の一部を形成する単位部材Ｔが、上下方向に交互に積層されている。
【００１２】
図３は、給気流路２を流れる空気（給気空気）と、排気流路３を流れる空気（排気空気）の流れを示す。図４は、図３の点Ｐに於ける速度ベクトルＶを示す。後述の邪魔部材（偏向部材）７によって、給気空気及び排気空気は、仕切膜１に対して近づいたり離れたりする方向の速度成分Ｖ1 を有する流れを生じる。
【００１３】
図５〜図７は、単位部材Ｓを示す（図６は平面図を示し、図７は底面図を示す）。複数本のプラスチック製邪魔部材（偏向部材）７が、流れと直交方向に配設されている。すなわち、仕切膜１の上面１ａ側に３本の邪魔部材（偏向部材）７が配設されるとともに、これら３本の邪魔部材７に対応する仕切膜１の下面１ｂ側に３本の邪魔部材７が配設されている。邪魔部材７は横断面形状が略かまぼこ形に形成されている。
【００１４】
具体的には、単位部材Ｓは、長六角形状の仕切膜１と、仕切膜１の上面１ａ側（上側）に仕切膜１の外周辺６に沿って配設される２本のプラスチック製フレーム部材８と、仕切膜１の下面１ｂ側（下側）に仕切膜１の外周辺６に沿って配設される２本のプラスチック製フレーム部材８と、を備える。フレーム部材８は、上記長辺Ｅと、長辺Ｅに隣接する２辺Ｇのうちの１辺Ｇに沿って配設されている。
【００１５】
上側の２本のフレーム部材８は、相互に点対称に配設されている。そして、それらのフレーム部材８の間には、給気入口部10ａ及び給気出口部20ａが形成されている。上側の２本のフレーム部材８に邪魔部材７が架橋状に配設されている。下側の２本のフレーム部材８は、相互に点対称に配設されている。そして、それらのフレーム部材８の間には、排気入口部11ａ及び排気出口部21ａが形成されている。下側の２本のフレーム部材８に邪魔部材７が架橋状に配設されている。
【００１６】
仕切膜１の上面１ａ側のフレーム部材８と、仕切膜１の下面１ｂ側のフレーム部材８とは、長辺Ｅの部分４が上下に相互に対応している。長辺Ｅに隣接する辺Ｇの部分５は、上側のフレーム部材８と下側のフレーム部材８では、仕切膜１の異なる外周辺６に配設されている。
【００１７】
言い換えると、排気入口部11ａ及び排気出口部21ａは、いずれも、給気入口部10ａ及び給気出口部20ａとは上下に対応しない位置に設けられている。すなわち、図６に示す平面図に於て、給気入口部10ａは、右下の位置にある。給気出口部20ａは、左上の位置にある。排気入口部11ａは、左下の位置にある。排気出口部21ａは、右上の位置にある。
【００１８】
図８〜図10は、単位部材Ｔを示す（図９は平面図を示し、図10は底面図を示す）。複数本の邪魔部材７が、流れと直交方向に配設されている。具体的には、仕切膜１の上面１ａ側に２本の邪魔部材７が配設されるとともに、これら２本の邪魔部材７に対応する仕切膜１の下面１ｂ側に２本の邪魔部材７が配設されている。
【００１９】
単位部材Ｔの邪魔部材７は、単位部材Ｓとの組立状態（図２の状態）の平面視に於て、単位部材Ｓの隣合う邪魔部材７の中間に、単位部材Ｓの邪魔部材７と平行に配設されている。すなわち、図３に示したように、ひとつの給気流路２に於て、邪魔部材７は、上下に交互に配設されており、給気空気は、上下方向に蛇行しつつ給気流路２を流れる。排気流路３についても同様である。
【００２０】
単位部材Ｔは、長六角形状の仕切膜１と、仕切膜１の上面１ａ側（上側）に仕切膜１の外周辺６に沿って配設される２本のフレーム部材８と、仕切膜１の下面１ｂ側（下側）に仕切膜１の外周辺６に沿って配設される２本のフレーム部材８と、を備える。フレーム部材８は、上記長辺Ｅと、長辺Ｅに隣接する２辺Ｇのうちの１辺Ｇに沿って配設されている。具体的には、単位部材Ｔは、フレーム部材８が、上記長辺Ｅと、長辺Ｅに隣接する２辺Ｇのうちの単位部材Ｓとは異なる側の１辺Ｇに沿って配設されている。
【００２１】
上側の２本のフレーム部材８は、相互に点対称に配設されている。そして、それらのフレーム部材８の間には、排気入口部11ｂ及び排気出口部21ｂが形成されている。上側の２本のフレーム部材８に邪魔部材７が架橋状に配設されている。下側の２本のフレーム部材８は、相互に点対称に配設されている。そして、それらのフレーム部材８の間には、給気入口部10ｂ及び給気出口部20ｂが形成されている。下側の２本のフレーム部材８に邪魔部材７が架橋状に配設されている。
【００２２】
仕切膜１の上面１ａ側のフレーム部材８と、仕切膜１の下面１ｂ側のフレーム部材８とは、長辺Ｅの部分４が上下に相互に対応している。長辺Ｅに隣接する辺Ｇの部分５は、上側のフレーム部材８と下側のフレーム部材８では、仕切膜１の異なる外周辺６に配設されている。
【００２３】
言い換えると、給気入口部10ｂ及び給気出口部20ｂは、いずれも、排気入口部11ｂ及び排気出口部21ｂとは上下に対応しない位置に設けられている。すなわち、図９に示す平面図に於て、給気入口部10ｂは、右下の位置にある。給気出口部20ｂは、左上の位置にある。排気入口部11ｂは、左下の位置にある。排気出口部21ｂは、右上の位置にある。
【００２４】
単位部材Ｔの給気入口部10ｂ及び給気出口部20ｂは、それぞれ、単位部材Ｓと単位部材Ｔの積層状態に於て、単位部材Ｓの給気入口部10ａ及び給気出口部20ａと対応する位置に、配置されている。単位部材Ｔの排気入口部11ｂ及び排気出口部21ｂは、それぞれ、単位部材Ｓと単位部材Ｔの積層状態に於て、単位部材Ｓの排気入口部11ａ及び排気出口部21ａと対応する位置に、配置されている。そして、単位部材Ｓと単位部材Ｔを上下方向に交互に積層させた状態では、単位部材Ｓの給気入口部10ａと単位部材Ｔの給気入口部10ｂによって、給気入口10が形成されている。同様に、給気出口部20ａと給気出口部20ｂによって、給気出口20が形成されている。排気入口部11ａと排気入口部11ｂによって、排気入口11が形成されている。排気出口部21ａと排気出口部21ｂによって排気出口21が形成されている。
【００２５】
図11は、本発明と関係が深い他の実施の形態を示す。邪魔部材７の断面形状が、略二等辺三角形に形成されている。
【００２６】
図12は、本発明と関係が深いさらに他の実施の形態を示す。邪魔部材７の断面形状が、略直角二等辺三角形に形成されている。
【００２７】
図13は、本発明と関係が深い別の実施の形態を示す。邪魔部材７が、流れの厚さの中間位置に、配設されている。
【００２８】
図14〜図17は、本発明と関係が深いさらに別の実施の形態を示す。すなわち、図14は単位部材Ｓの平面視を示し、図15は単位部材Ｓの底面視を示す。また、図16は単位部材Ｔの平面視を示し、図17は単位部材Ｔの底面視を示す。単位部材Ｓと単位部材Ｔは、平面視形状が同一の長方形Ｋになるように形成されている。
【００２９】
図14・図15に示すように、単位部材Ｓは、仕切膜１の外周辺６に沿って仕切膜１の上面１ａ及び下面１ｂにフレーム部材８が配設されている。すなわち、仕切膜１の上面１ａに、点対称に２本のフレーム部材８が配置されている。そして、それらのフレーム部材８の間には、給気入口部10ａ及び給気出口部20ａが形成されている。また、仕切膜１の下面１ｂに、点対称に２本のフレーム部材８が配置されている。そして、それらのフレーム部材８の間には、排気入口部11ａ及び排気出口部21ａが形成されている。排気入口部11ａ及び排気出口部21ａは、いずれも、給気入口部10ａ及び給気出口部20ａとは上下に対応しない位置に設けられている。すなわち、図14に示す平面図に於て、給気入口部10ａは、右上の位置にある。給気出口部20ａは、左下の位置にある。排気入口部11ａは、左上の位置にある。排気出口部21ａは、右下の位置にある。
【００３０】
図16・図17に示すように、単位部材Ｔは、仕切膜１の外周辺６に沿って仕切膜１の上面１ａ及び下面１ｂにフレーム部材８が配設されている。すなわち、仕切膜１の上面１ａに、点対称に２本のフレーム部材８が配置されている。そして、それらのフレーム部材８の間には、排気入口部11ｂ及び排気出口部21ｂが形成されている。また、仕切膜１の下面１ｂに、点対称に２本のフレーム部材８が配置されている。そして、それらのフレーム部材８の間には、給気入口部10ｂ及び給気出口部20ｂが形成されている。給気入口部10ｂ及び給気出口部20ｂは、いずれも、排気入口部11ｂ及び排気出口部21ｂとは上下に対応しない位置に設けられている。すなわち、図16に示す平面図に於て、給気入口部10ｂは、右上の位置にある。給気出口部20ｂは、左下の位置にある。排気入口部11ｂは、左上の位置にある。排気出口部21ｂは、右下の位置にある。
【００３１】
すなわち、単位部材Ｔの給気入口部10ｂ及び給気出口部20ｂは、それぞれ、単位部材Ｓと単位部材Ｔの積層状態に於て、単位部材Ｓの給気入口部10ａ及び給気出口部20ａと対応する位置に、配置されている。そして、単位部材Ｔの排気入口部11ｂ及び排気出口部21ｂは、それぞれ、単位部材Ｓと単位部材Ｔの積層状態に於て、単位部材Ｓの排気入口部11ａ及び排気出口部21ａと対応する位置に、配置されている。
【００３２】
図18・図19は、本発明と関係が深い他の実施の形態を示す。すなわち、図18は単位部材Ｆの平面視を示す。図19は、図18に示した単位部材Ｆを、仕切膜１に垂直な軸廻りに（水平面内に於て）90度回転させた状態を示す。相互に90度回転させた状態の単位部材Ｆ───すなわち、図18の状態の単位部材Ｆ1 と、図19の状態の単位部材Ｆ2 ───が、上下方向に交互に積層される（図示省略）。
【００３３】
単位部材Ｆは、平面視形状が正方形Ｃに形成されている。具体的には、単位部材Ｆは、平面視形状が正方形Ｃの仕切膜１と、仕切膜１の上面１ａ側（上側）に仕切膜１の外周辺６の一組の対辺に沿って配設される一対のフレーム部材８と、これら一対のフレーム部材８の間にフレーム部材８と平行に配設される補強部材29と、フレーム部材８と補強部材29に架橋状に配設される邪魔部材７を、備える。仕切膜１の下面１ｂ側（下側）には、上側の邪魔部材７、フレーム部材８、補強部材29、にそれぞれ対応して、邪魔部材７、フレーム部材８、補強部材29、が配設されている（図示省略）。
【００３４】
図20〜図25は、第１の実施の形態を示す。図20・図21に示すように、流路９（すなわち、給気流路２及び排気流路３）の縦断面形状が、膨張と収縮とを交互に繰返すように、仕切膜１が、流れに直交方向に配設した複数本の邪魔部材７により凹凸波形に配設されている。
【００３５】
具体的には、上側に給気流路２の一部を形成するとともに下側に排気流路３の一部を形成する単位部材Ｍと、上側に排気流路３の一部を形成するとともに下側に給気流路２の一部を形成する単位部材Ｎが、上下方向に交互に積層されている。
【００３６】
図22〜図24に示すように、単位部材Ｍは、上枠部材12と、下枠部材13と、上枠部材12と下枠部材13に挾持される仕切膜１から成る。上枠部材12は、同一高さに相互に平行に配設される複数の邪魔部材７から成る押下げ桟14を有する。下枠部材13は、隣合う押下げ桟14の中間に押下げ桟14と平行に配設された邪魔部材７から成る押上げ桟15を有する。図20に示すように、押下げ桟14の下面14ａは、押上げ桟15の上面15ａよりも低い位置に配設されている。仕切膜１は、押下げ桟14の下面14ａと押上げ桟15の上面15ａに交互に接するようにジグザグ状に配設されている。
【００３７】
図25に示すように、単位部材Ｎは、上枠部材16と、下枠部材17と、上枠部材16と下枠部材17に挾持される仕切膜１から成る。下枠部材17は、同一高さに相互に平行に配設される複数の押上げ桟19を有する。上枠部材16は、隣合う押上げ桟19の中間に押上げ桟19と平行に配設された押下げ桟18を有する。図20に示すように、押下げ桟18の下面18ａは、押上げ桟19の上面19ａよりも低い位置に配設されている。仕切膜１は、押下げ桟18の下面18ａと押上げ桟19の上面19ａに交互に接するようにジグザグ状に配設されている。
【００３８】
単位部材Ｍの押下げ桟14は、単位部材Ｎの押上げ桟19の真上又は真下に、押上げ桟19と平行に配設されている。単位部材Ｍの押上げ桟15は、単位部材Ｎの押下げ桟18の真上又は真下に、押下げ桟18と平行に配設されている。
【００３９】
図26〜図28は、第２の実施の形態を示す。流路９の縦断面形状が、膨張と収縮とを交互に繰返すように、仕切膜１が、凹凸波形に配設されている。
【００４０】
具体的には、上側に給気流路２の一部を形成するとともに下側に排気流路３の一部を形成する単位部材Ｍと、上側に排気流路３の一部を形成するとともに下側に給気流路２の一部を形成する単位部材Ｎが、上下方向に交互に積層されている。
【００４１】
単位部材Ｍは、上枠部材12と、下枠部材13と、上枠部材12と下枠部材13に挾持される仕切膜１から成る。上枠部材12が波形端縁部12ａを有するとともに、下枠部材13が上枠部材12の波形端縁部12ａと噛合状の波形端縁部13ａを有する。上枠部材12の波形端縁部12ａと下枠部材13の波形端縁部13ａにて仕切膜１をジグザグ状に挾持している。
【００４２】
同様に、単位部材Ｎは、上枠部材16と、下枠部材17と、上枠部材16と下枠部材17に挾持される仕切膜１から成る。上枠部材16が波形端縁部16ａを有するとともに、下枠部材17が上枠部材16の波形端縁部16ａと噛合状の波形端縁部17ａを有する。上枠部材16の波形端縁部16ａと下枠部材17の波形端縁部17ａにて仕切膜１をジグザグ状に挾持している。
【００４３】
図29・図30は、第３の実施の形態を示す。給気流路２の一部を形成する単位部材Ｑと、排気流路３の一部を形成する単位部材Ｒとが、上下方向に交互に積層されている。
単位部材Ｑは、枠部材31と枠部材31に張設される仕切膜１から成る。枠部材31は、上波形端縁部32と、上波形端縁部32に平行な下波形端縁部33を有する。単位部材Ｑの仕切膜１は上波形端縁部32に沿って配設されている。例えば、仕切膜１は、上波形端縁部32に接着されている。
単位部材Ｒは、枠部材34と枠部材34に張設される仕切膜１から成る。枠部材34は、単位部材Ｑの上波形端縁部32と同一形状であるとともに単位部材Ｑの下波形端縁部33と噛合う上波形端縁部35と、上波形端縁部35に平行な下波形端縁部36を有する。単位部材Ｒの仕切膜１は上波形端縁部35に沿って配設されている。
【００４４】
なお、本発明は、設計変更可能であって、例えば、邪魔部材７どうしの間隔を不規則に設定するも良い。また、邪魔部材７の横断面形状が、正三角形や四角形等に形成されているものであっても良い。また、仕切膜１の平面視形状を、長円形等とするも良い。さらに、仕切膜１の材料を、顕熱のみを回収する目的の熱交換器にも適用できるような材料とするも良い。また、第３の実施の形態に於て、単位部材Ｑの仕切膜１は下波形端縁部33に沿って配設するとともに、単位部材Ｒの仕切膜１は下波形端縁部36に沿って配設したものとするも良い。
【００４５】
以上のように、本発明は、仕切膜１に対して近づいたり離れたりする方向の速度成分Ｖ1 を有する流れを生じさせる複数本の邪魔部材７を、流れと直交方向に配設したので、空気の流れに乱れが生じるとともに、部分的に境界層が薄くなり、熱交換効率を向上させることができる。また、邪魔部材７によって、仕切膜１の歪みや変形を防止することができる。また、邪魔部材７をフレーム部材８と一体成型して、容易に大量生産することができる。
また、邪魔部材７を、流れの厚さの中間位置に、配設したので、空気の流れに乱れが生じるとともに、部分的に境界層が薄くなり、熱交換効率を向上させることができる。また、邪魔部材７によって、仕切膜１の歪みや変形を防止することができる。また、邪魔部材７をフレーム部材８と一体成型して、容易に大量生産することができる。
【００４６】
また、流路９の縦断面形状が、膨張と収縮とを交互に繰返すように、仕切膜１が凹凸波形に配設されているので、空気の流れに乱れが生じるとともに、部分的に境界層が薄くなり、熱交換効率を向上させることができる。また、邪魔部材７によって、仕切膜１の歪みや変形を防止することができる。また、邪魔部材７をフレーム部材８と一体成型して、容易に大量生産することができる。
また、流路９の縦断面形状が、膨張と収縮とを交互に繰返すように、仕切膜１が、流れに直交方向に配設した複数本の邪魔部材７により凹凸波形に配設されているので、空気の流れに乱れが生じるとともに、部分的に境界層が薄くなり、熱交換効率を向上させることができる。また、邪魔部材７によって、仕切膜１の歪みや変形を防止することができる。また、邪魔部材７をフレーム部材８と一体成型して、容易に大量生産することができる。
【００４７】
また、上側に給気流路２の一部を形成するとともに下側に排気流路３の一部を形成する単位部材Ｍと、上側に排気流路３の一部を形成するとともに下側に給気流路２の一部を形成する単位部材Ｎが、上下方向に交互に積層されている全熱交換器であって、上記単位部材Ｍは、上枠部材12と、下枠部材13と、上枠部材12と下枠部材13に挾持される仕切膜１から成り、上枠部材12は、同一高さに相互に平行に配設される複数の押下げ桟14を有し、下枠部材13は、隣合う押下げ桟14の中間に押下げ桟14と平行に配設された押上げ桟15を有し、押下げ桟14の下面14ａは、押上げ桟15の上面15ａよりも低い位置に配設され、仕切膜１を、押下げ桟14の下面14ａと押上げ桟15の上面15ａに交互に接するようにジグザグ状に配設し、単位部材Ｎは、上枠部材16と、下枠部材17と、上枠部材16と下枠部材17に挾持される仕切膜１から成り、下枠部材17は、同一高さに相互に平行に配設される複数の押上げ桟19を有し、上枠部材16は、隣合う押上げ桟19の中間に押上げ桟19と平行に配設された押下げ桟18を有し、押下げ桟18の下面18ａは、押上げ桟19の上面19ａよりも低い位置に配設され、仕切膜１を、押下げ桟18の下面18ａと押上げ桟19の上面19ａに交互に接するようにジグザグ状に配設し、単位部材Ｍの押下げ桟14は、単位部材Ｎの押上げ桟19の真上又は真下に、押上げ桟19と平行に配設されるとともに、単位部材Ｍの押上げ桟15は、単位部材Ｎの押下げ桟18の真上又は真下に、押下げ桟18と平行に配設されているので、空気の流れに乱れが生じるとともに、部分的に境界層が薄くなり、熱交換効率を向上させることができる。また、邪魔部材７（押下げ桟14、押上げ桟15等）によって、仕切膜１の歪みや変形を防止することができる。また、邪魔部材７をフレーム部材８と一体成型して、容易に大量生産することができる。
【００４８】
また、上側に給気流路２の一部を形成するとともに下側に排気流路３の一部を形成する単位部材Ｍと、上側に排気流路３の一部を形成するとともに下側に給気流路２の一部を形成する単位部材Ｎが、上下方向に交互に積層されている全熱交換器であって、単位部材Ｍは、上枠部材12と、下枠部材13と、上枠部材12と下枠部材13に挾持される仕切膜１から成り、上枠部材12が波形端縁部12ａを有するとともに、下枠部材13が上枠部材12の波形端縁部12ａと噛合状の波形端縁部13ａを有し、上枠部材12の波形端縁部12ａと下枠部材13の波形端縁部13ａにて仕切膜１をジグザグ状に挾持し、単位部材Ｎは、上枠部材16と、下枠部材17と、上枠部材16と下枠部材17に挾持される仕切膜１から成り、上枠部材16が波形端縁部16ａを有するとともに、下枠部材17が上枠部材16の波形端縁部16ａと噛合状の波形端縁部17ａを有し、上枠部材16の波形端縁部16ａと下枠部材17の波形端縁部17ａにて仕切膜１をジグザグ状に挾持したので、空気の流れに乱れが生じるとともに、部分的に境界層が薄くなり、熱交換効率を向上させることができる。また、邪魔部材７を有するものと比較して、容易かつ安価に製造することができる。特に、流路９の幅が狭い全熱交換器に最適である。
【００４９】
また、給気流路２の一部を形成する単位部材Ｑと、排気流路３の一部を形成する単位部材Ｒとが、上下方向に交互に積層されている全熱交換器であって、単位部材Ｑは、枠部材31と枠部材31に張設される仕切膜１から成り、枠部材31は、上波形端縁部32と、上波形端縁部32に平行な下波形端縁部33を有し、単位部材Ｑの仕切膜１は上波形端縁部32又は下波形端縁部33に沿って配設され、単位部材Ｒは、枠部材34と枠部材34に張設される仕切膜１から成り、枠部材34は、単位部材Ｑの上波形端縁部32と同一形状であるとともに単位部材Ｑの下波形端縁部33と噛合う上波形端縁部35と、上波形端縁部35に平行な下波形端縁部36を有し、単位部材Ｒの仕切膜１は上波形端縁部35又は下波形端縁部36に沿って配設されているので、空気の流れに乱れが生じるとともに、部分的に境界層が薄くなり、熱交換効率を向上させることができる。また、邪魔部材７を有するものと比較して、容易かつ安価に製造することができる。特に、流路９の幅が狭い全熱交換器に最適である。
【図面の簡単な説明】
【００５０】
【図１】本発明と関係が深い実施の形態の使用状態を示す平面図である。
【図２】本発明の斜視図である。
【図３】要部拡大断面図である。
【図４】速度ベクトルを示す説明図である。
【図５】単位部材を示す斜視図である。
【図６】平面図である。
【図７】底面図である。
【図８】単位部材を示す斜視図である。
【図９】平面図である。
【図１０】底面図である。
【図１１】本発明と関係が深い他の実施の形態を示す要部拡大断面図である。
【図１２】本発明と関係が深いさらに他の実施の形態を示す要部拡大断面図である。
【図１３】本発明と関係が深い別の実施の形態を示す要部拡大断面図である。
【図１４】本発明と関係が深いさらに別の実施の形態を示す単位部材の平面図である。
【図１５】単位部材を示す底面図である。
【図１６】単位部材を示す平面図である。
【図１７】単位部材を示す底面図である。
【図１８】本発明と関係が深い他の実施を示す形態を示す単位部材の平面図である。
【図１９】単位部材を示す平面図である。
【図２０】第１の実施の形態を示す正面図である。
【図２１】要部断面正面図である。
【図２２】単位部材を示す平面図である。
【図２３】上枠部材を示す斜視図である。
【図２４】下枠部材を示す斜視図である。
【図２５】単位部材を示す平面図である。
【図２６】第２の実施の形態を示す正面図である。
【図２７】要部断面正面図である。
【図２８】単位部材を示す分解図である。
【図２９】第３の実施の形態を示す分解図である。
【図３０】正面図である。
【符号の説明】
【００５１】
１  仕切膜
２  給気流路
３  排気流路
７  邪魔部材
９  流路
12  上枠部材
12ａ  波形端縁部
13  下枠部材
13ａ  波形端縁部
14  押下げ桟
14ａ  下面
15  押上げ桟
15ａ  上面
16  上枠部材
16ａ  波形端縁部
17  下枠部材
17ａ  波形端縁部
18  押下げ桟
18ａ  下面
19  押上げ桟
19ａ  上面
31  枠部材
32  上波形端縁部
33  下波形端縁部
34  枠部材
35  上波形端縁部
36  下波形端縁部
Ｍ  単位部材
Ｎ  単位部材
Ｑ  単位部材
Ｒ  単位部材
Ｖ1 速度成分
【図１】
0004431525.tif 000002
【図２】
0004431525.tif 000003
【図３】
0004431525.tif 000004
【図４】
0004431525.tif 000005
【図５】
0004431525.tif 000006
【図６】
0004431525.tif 000007
【図７】
0004431525.tif 000008
【図８】
0004431525.tif 000009
【図９】
0004431525.tif 000010
【図１０】
0004431525.tif 000011
【図１１】
0004431525.tif 000012
【図１２】
0004431525.tif 000013
【図１３】
0004431525.tif 000014
【図１４】
0004431525.tif 000015
【図１５】
0004431525.tif 000016
【図１６】
0004431525.tif 000017
【図１７】
0004431525.tif 000018
【図１８】
0004431525.tif 000019
【図１９】
0004431525.tif 000020
【図２０】
0004431525.tif 000021
【図２１】
0004431525.tif 000022
【図２２】
0004431525.tif 000023
【図２３】
0004431525.tif 000024
【図２４】
0004431525.tif 000025
【図２５】
0004431525.tif 000026
【図２６】
0004431525.tif 000027
【図２７】
0004431525.tif 000028
【図２８】
0004431525.tif 000029
【図２９】
0004431525.tif 000030
【図３０】
0004431525.tif 000031